(57)【要約】      （修正有）【課題】ファックス通信により受信した文書を印刷するユーザの利便性を向上させたファクシミリ装置及びその制御方法、並びにプログラムを提供する。【解決手段】画像形成装置は、ファックス通信により受信された文書を印刷する記録材のサイズを決定し、決定されたサイズの記録材に文書を印刷した場合に文書が分割されて複数の記録材に印刷されるときには、分割される位置を示した文書のプレビュー画像を表示部に表示するとともに、記録材のサイズがユーザにより指定されるのに応じて分割される位置を変更して表示部に表示する。【選択図】図６
2014112777.tif 000002
【特許請求の範囲】
【請求項１】
ファックス通信により受信された文書を印刷する記録材のサイズを決定する決定手段と、
前記決定手段で決定されたサイズの記録材に前記文書を印刷した場合に前記文書が分割されて複数の記録材に印刷されるときには、分割される位置を示した前記文書のプレビュー画像を表示部に表示する表示制御手段と、
を備え、
前記表示制御手段は、記録材のサイズがユーザにより指定されるのに応じて前記分割される位置を変更して前記表示部に表示することを特徴とするファクシミリ装置。
【請求項２】
ユーザにより指定されたサイズの記録材に印刷できない場合には、前記表示制御手段は、前記指定されたサイズでは印刷できないことを表示するように前記表示部を制御することを特徴とする請求項１記載のファクシミリ装置。
【請求項３】
前記表示制御手段は、複数の記録材のサイズのそれぞれに対応するキーを前記表示部に表示することを特徴とする請求項１または２に記載のファクシミリ装置。
【請求項４】
複数の記録材のサイズのそれぞれについて、分割の基準となるライン数を記憶する記憶手段を更に備えることを特徴とする請求項１乃至３のいずれか１項に記載のファクシミリ装置。
【請求項５】
前記決定手段は、複数の記録材のサイズのうち優先順位が高く設定されているサイズを、文書を印刷する記録材のサイズとして決定することを特徴とする請求項１乃至４のいずれか１項に記載のファクシミリ装置。
【請求項６】
ファックス通信により受信された文書を印刷する記録材のサイズを決定する決定ステップと、
前記決定ステップで決定されたサイズの記録材に前記文書を印刷した場合に前記文書が分割されて複数の記録材に印刷されるときには、分割される位置を示した前記文書のプレビュー画像を表示部に表示する表示制御ステップと、
を備え、
前記表示制御ステップでは、記録材のサイズがユーザにより指定されるのに応じて前記分割される位置を変更して前記表示部に表示することを特徴とするファクシミリ装置の制御方法。
【請求項７】
ユーザにより指定されたサイズの記録材に印刷できない場合には、前記表示制御ステップでは、前記指定されたサイズでは印刷できないことを表示するように前記表示部を制御することを特徴とする請求項６記載のファクシミリ装置の制御方法。
【請求項８】
前記表示制御ステップでは、複数の記録材のサイズのそれぞれに対応するキーを前記表示部に表示することを特徴とする請求項６または７に記載のファクシミリ装置の制御方法。
【請求項９】
複数の記録材のサイズのそれぞれについて、分割の基準となるライン数を記憶する記憶ステップを更に備えることを特徴とする請求項６乃至８のいずれか１項に記載のファクシミリ装置の制御方法。
【請求項１０】
前記決定ステップでは、複数の記録材のサイズのうち優先順位が高く設定されているサイズを、文書を印刷する記録材のサイズとして決定することを特徴とする請求項６乃至９のいずれか１項に記載のファクシミリ装置の制御方法。
【請求項１１】
請求項６乃至１０のいずれか１項に記載されたファクシミリ装置の制御方法における各ステップを、コンピュータに実行させるためのプログラム。
【発明の詳細な説明】
【技術分野】
【０００１】
本発明は、ファクシミリ装置及びその制御方法、並びにプログラムに関する。
【背景技術】
【０００２】
コピー、プリンタ、スキャナ、ファクスなどの画像通信機能を有する画像形成装置は多く使われている。上記画像形成装置は、複数のサイズの記録材を印刷時に使用することが可能となるように、複数の給紙部をもつことが一般的である（例えば、特許文献１参照）。
【０００３】
このような画像形成装置においては、受信文書を印刷する際は、一般的にカット紙に記録することとなる。カット紙に記録する場合、画像の副走査長が１枚の紙に入りきらない場合、複数の紙に分割出力することが一般的に行われている（例えば、特許文献２参照）。
【０００４】
ファクス等の受信文書の印刷においては、画像形成装置の給紙部にセットされている複数サイズの記録材紙の中から、ユーザ設定に応じて、最適なサイズを画像形成装置が自動的に選択し、出力することが行われている。
【０００５】
また、近年では、無駄な印刷コストを省くため、受信文書を画像形成装置が持つハードディスク等の記憶装置にいったん記憶し、記憶した受信文書からユーザ指示によって、印刷出力する画像形成装置も存在する。
【０００６】
このような画像形成装置では、受信文書をユーザがプレビューを実行することにより、内容、及び出力イメージを確認した後、印刷処理をすることが一般的である。受信文書を印刷する際に、分割記録が発生する場合に、受信した原稿の主走査長に応じた紙サイズに応じて分割位置を識別し、プレビュー処理の際に、分割線の位置を明示する画像形成装置も知られている（例えば、特許文献３参照）。
【先行技術文献】
【特許文献】
【０００７】
【特許文献１】特開平９‐６５０４５号公報
【特許文献２】特開平２‐２８４５７０号公報
【特許文献３】特開２０１０‐１０９７４号公報
【発明の概要】
【発明が解決しようとする課題】
【０００８】
しかしながら、特許文献３に記載の画像形成装置では、ファクス受信時に送信側が発行した手順信号のＤＣＳで通知したサイズ情報に従い、プレビュー時の分割線の位置が決まる。
【０００９】
ＤＣＳで通知可能なサイズは限られており、ＤＣＳで宣言できない用紙サイズに印刷するケースでは、印刷プレビュー時の分割位置と、実際の分割位置が異なってしまうという問題が生じる。
【００１０】
本発明の目的は、ファックス通信により受信した文書を印刷するユーザの利便性を向上させたファクシミリ装置及びその制御方法、並びにプログラムを提供することにある。
【課題を解決するための手段】
【００１１】
上記目的を達成するために、請求項１のファクシミリ装置は、ファックス通信により受信された文書を印刷する記録材のサイズを決定する決定手段と、前記決定手段で決定されたサイズの記録材に前記文書を印刷した場合に前記文書が分割されて複数の記録材に印刷されるときには、分割される位置を示した前記文書のプレビュー画像を表示部に表示する表示制御手段とを備えたことを特徴とする。
【発明の効果】
【００１２】
本発明によれば、ファックス通信により受信した文書を印刷するユーザの利便性を向上することができる。
【図面の簡単な説明】
【００１３】
【図１】本発明の実施の形態に係る画像形成装置の概略構成を示す図である。
【図２】図１におけるエンジンコントローラ部とジョブ制御部との間で用いられる記録材サイズリスト情報を示す図である。
【図３】レイアウト選択テーブルを示す図である。
【図４】図１におけるＣＰＵにより実行されるレイアウト情報作成処理の手順を示すフローチャートである。
【図５】図４のレイアウト情報作成処理により作成されるレイアウト情報を示す図である。
【図６】図１におけるＣＰＵにより実行されるプレビュー処理の手順を示すフローチャートである。
【図７】図６のステップＳ６０４における分割線の付加について説明するための図である。
【図８】図１における表示／操作部に表示されたプレビュー画像の一例を示す図である。
【図９】図１における表示／操作部に表示されたプレビュー画像の一例を示す図である。
【図１０】、図１におけるＣＰＵにより実行される、ユーザによりサイズが指定された場合のレイアウト情報作成処理の手順を示すフローチャートである。
【図１１】図１におけるＣＰＵにより実行される印刷処理の手順を示すフローチャートである。
【図１２】表示／操作部に表示された警告画面を示す図である。
【発明を実施するための形態】
【００１４】
以下、本発明の実施の形態について図面を参照しながら詳述する。
【００１５】
図１は、本発明の実施の形態に係る画像形成装置１００（ファクシミリ装置）の概略構成を示す図である。
【００１６】
図１において、ＣＰＵ１０１は、ＲＯＭ１０５に記憶された制御プログラムに基づいて画像形成装置１００を制御する。
【００１７】
表示部に対応する表示／操作部１０２は、その表示画面に、例えばウインドウ、アイコン、メッセージ、メニューその他のユーザインターフェース情報が表示される。また、表示／操作部１０２は、ユーザがコピー、ＦＡＸ、プリンタ操作を行うための各種キー、及び表示画面上のアイコン、メニューなどを操作するための画面ポインティングデバイスから構成される。
【００１８】
また、表示／操作部１０２は、プレビュー画像を表示したり、プレビュー画像の表示を実行するためのボタンも表示される。
【００１９】
スキャナ部１０３は、原稿の読み取りを行う。エンジンコントローラ部１０４は、ＲＯＭ１０５やＨＤＤ（ハードディスクドライブ）１０７に記憶した印刷データを紙などの記録材に転写／定着させるための制御を行う。
【００２０】
エンジンコントローラ部１０４は、ＣＰＵ１０１、ＲＯＭ１０５、ＲＡＭ１０６とは別に、内部にＣＰＵ、ＲＡＭ，ＲＯＭを持つ。エンジンコントローラ部１０４は、内部のＲＯＭから読み出したエンジン制御プログラムに基づき処理を行う。例えば、エンジンコントローラ部１０４は、ジョブ制御部１１２より発行された制御指示を、通信部１２０を経由して受信し、受信した制御指示に応じて印字部１１９、給紙部１１５、１１６、１１７と手差し給紙部１１８などを制御する。なお、給紙部１１５、１１６、１１７と手差し給紙部１１８をまとめて単に給紙部と表現することがある。
【００２１】
ＲＯＭ１０５は、各種制御プログラムやデータが記憶されており、後述するフローチャートの処理は、ＲＯＭ１０５に記憶されたプログラムをＣＰＵ１０１が読み出すことでＣＰＵ１０１により実行される。ＲＡＭ１０６は、ＣＰＵ１０１のワーク領域、エラー処理時のデータの退避領域、制御プログラムのロード領域などを有する。記憶部に対応するＨＤＤ１０７は、各種制御プログラムやファックス通信で受信した文書などが記憶される。以下の説明ではファックス通信を単にＦＡＸと表現することがある。
【００２２】
印字部１１９は記録材に画像を印刷する。ネットワークＩ／Ｆ部１０８は、ネットワークを介して他の端末と通信を行うためのインタフェースであり、ネットワークを介して例えばＰＣからのプリントジョブを受信する。
【００２３】
ファクス通信制御部１０９は、ファクス通信を電話回線１１０を介して行なう。画像処理部１１１は、ＣＰＵ１０１で実行されるソフトウェア、及び回転や変倍の特定の処理に特化されたハードウェアを用いて、画像の符号化、復号化、および変倍、回転、分割などの処理を行う。本実施の形態では、受信した文書について、分割記録が実施される場合に、分割位置を明示する線を付与する処理があり、その処理は画像処理部１１１のソフトウェアの１モジュールにより実現される。
【００２４】
ジョブ制御部１１２は、ＦＡＸで文書を受信するジョブを生成するとともに、ネットワークを介して受信した文書に対する処理である印刷、転送、及びプレビュー画像の表示などの複数の処理系毎にジョブを生成することで、各処理が実行される。
【００２５】
電話回線１１０を経由して受信された文書は、ＨＤＤ１０７に記憶される。このとき、文書に対して、文書ＩＤ、文書に含まれるページ数、符号化方式、及び受信時刻からなるメタデータである文書情報が付与される。上記ジョブ制御部１１２で生成されたジョブにより、ＦＡＸで受信した文書がＨＤＤ１０７に記憶されるので、ジョブ制御部１１２は記憶手段に対応する。
【００２６】
エンジンコントローラ部１０４には、給紙部や印字部などの制御を行うための制御バス１１４が接続される。制御バス１１４には、給紙部１１５、１１６、１１７と手差し給紙部１１８が接続されている。
【００２７】
本実施の形態では、給紙部１１６、１１７は取り外しが可能であり、取り付けられていなければ、給紙部１１５、及び手差し給紙部１１８のみが使用される。印刷を行うときは、エンジンコントローラ部１０４が制御バス１１４に接続された給紙部１１５、１１６、１１７と手差し給紙部１１８に対して給紙を行うように指示する。
【００２８】
また、エンジンコントローラ部１０４は、取り外し可能な給紙部１１６、１１７が、制御バス１１４に接続されているか否かを検知可能となっている。給紙部１１６、１１７が検知されているか否かの判別には、例えば電気的信号によるループバック検知や、ドングルなどのハード的な検知方法が用いられる。
【００２９】
さらに、エンジンコントローラ部１０４は、給紙部１１５、１１６、１１７と手差し給紙部１１８がそれぞれ給紙可能な記録材のサイズを判別できる。このサイズ、給紙部数、及び給紙部能力の情報は、レイアウト決定部１１３に通知される。
【００３０】
レイアウト決定部１１３はエンジンコントローラ部１０４から給紙部１１５、１１６、１１７と手差し給紙部１１８の情報を受信する。そして、レイアウト決定部１１３は給紙部１１５、１１６、１１７と手差し給紙部１１８の情報、及びジョブ制御部１１２が生成したプリントジョブまたはプレビュージョブに応じて、最適な記録材サイズを判別し、印刷画像生成、プレビュー画像生成を行う。
【００３１】
通信部１２０は、ＲＳ２３２ＣなどのＵＡＲＴ通信を用いて、エンジンコントローラ部１０４とジョブ制御部１１２との間の通信を実現する。
【００３２】
図２は、図１におけるエンジンコントローラ部１０４とジョブ制御部１１２との間で用いられる記録材サイズリスト情報を示す図である。
【００３３】
図２（Ａ）は、記録材サイズリスト情報を示している。図２（Ａ）において、記録材サイズリスト情報は、給紙部全体情報フィールドである給紙部数２０１、及び記録材情報フィールド２０２で構成される。給紙部数２０１は、画像形成装置１００に備えられた給紙部の数を示している。本実施の形態の場合、給紙部１１５、１１６、１１７と手差し給紙部１１８の４つの給紙部が備わっているので、給紙部数２０１は、４となっている。記録材情報フィールド２０２は、給紙部数２０１が示す数だけ設けられる。従って、図２（Ａ）において、記録材情報フィールド２０２は４つ設けられている。
【００３４】
記録材情報フィールド２０２は、給紙部ＩＤ２０３、用紙サイズ２０４、用紙残量２０５、サイズ検知能力２０６、及び給紙部種別２０７を含む。
【００３５】
給紙部ＩＤ２０３は、各給紙部を識別するためのＩＤである。用紙サイズ２０４は、対応する給紙部が給紙可能な用紙サイズを示している。図では、Ａ３サイズなら１、Ａ４サイズなら２などと定めており、特に０は、サイズが不明であることを示している。用紙残量２０５は、各給紙部の用紙残量を示し、０〜１００（％）で表現される。
【００３６】
サイズ検知能力２０６は、対応する給紙部が記録材のサイズを検知する能力があるか否かを示し、能力がある場合は１、ない場合は０で表現される。
【００３７】
上述した用紙サイズ２０４において、用紙サイズが不明であることを示す０は、給紙部がサイズ検知能力をもたない場合、または、何らかの事情によりサイズを検知できない場合に用いられる。給紙部種別２０７は、対応する給紙部の種別を示し、手差し給紙部なら１、そうでない場合は０で表現される。
【００３８】
図２（Ｂ）（Ｃ）は、記録材サイズリスト情報２００の一例として、給紙部１１５にＡ４、給紙部１１６にＡ５、給紙部１１７にＢ５の記録材がセットされた記録材サイズリスト情報を示している。特に、図２（Ｂ）では、給紙部ＩＤ２０３が４の給紙部の記録材が０％である場合の記録材サイズリスト情報２００を示し、図２（Ｃ）では、給紙部ＩＤ２０３が１及び４の給紙部の記録材が０％である場合の記録材サイズリスト情報２００を示している。
【００３９】
上述した記録材サイズリスト情報は、エンジンコントローラ部１０４が受信し、ＲＡＭ１０６に記憶される。
【００４０】
レイアウト決定部１１３は、レイアウト作成処理実行時に、ＲＡＭ１０６から、記録材サイズリスト情報２００を取得し、レイアウト作成処理を実行する。具体的には、レイアウト決定部１１３は給紙部１１５、１１６、１１７と手差し給紙部１１８にセットされている記録材の中から最適な記録材サイズを選択し、記録材のサイズに応じて、分割、縮小等の画像処理を指示するレイアウト情報を作成する。また、レイアウト作成処理では、レイアウト選択テーブルが作成される。
【００４１】
図３は、レイアウト選択テーブルを示す図である。
【００４２】
図３において、レイアウト選択テーブル４００は、インデックス、サイズ、記録可能ライン数、処理種別、分割ライン数、及び優先順位を備えている。また、図３におけるレイアウト選択テーブル４００は、一例として文書の画像の主走査長が１７２８、副走査長２０００の場合に作成されるレイアウト選択テーブルを示している。
【００４３】
インデックスは、このレイアウト選択テーブル４００における識別子である。サイズは、用紙のサイズを示しており、サイズとともに併記された括弧内の数字は、図２で説明した用紙サイズを示す数字である。
【００４４】
テーブルのフィールドのうち、記録可能ライン数は、記録材の副走査長をライン数に換算した値に、記録時の余白、ヘッダ、フッタのライン数を考慮した値となっている。記録可能ライン数は、画像縮小記録を行う場合に、ユーザが前もって設定している最大変倍率の値を考慮して計算される。この場合、実際の記録材の副走査長より長くなることがある。
【００４５】
処理種別は、複数の記録材に分割して印刷することを示す「分割」や、画像を縮小して１枚の記録材に収まるように印刷することを示す「縮小」が設定される。
【００４６】
分割ライン数は、分割して印刷する場合に、１枚の記録材に記録可能な副走査長を示しており、分割枚数を算出するための基準値となる。例えば、レイアウト選択テーブル４００を用いて、Ａ４の記録材に記録を行う場合、１〜１２００ラインまでが１枚目の記録材に印刷され、１２０１〜２０００ラインまでが２枚目に印刷されるレイアウト情報が作成される。
【００４７】
優先順位は、レイアウトの優先順位を示しており、後述するレイアウト情報作成処理において用いられる。
【００４８】
また、後述するレイアウト情報作成処理では、レイアウト選択テーブル４００でのＩｍａｘ、及びＰｍａｘが用いられるが、Ｉｍａｘは、インデックスの最大値を示し、図３の場合は５となる。また、Ｐｍａｘは、優先順位の最大値を示し、図３の場合は５となる。
【００４９】
図４は、図１におけるＣＰＵ１０１により実行されるレイアウト情報作成処理の手順を示すフローチャートである。
【００５０】
図４において、ＦＡＸで受信した文書である受信文書の主走査幅Ｘ及び副走査幅Ｙを取得する（ステップＳ３０１）。次いで、主走査幅Ｘ，副走査幅Ｙに応じて、図３で説明したレイアウト選択テーブルＴを作成する（ステップＳ３０２）。
【００５１】
次いで、優先順位Ｐに１を代入する（ステップＳ３０４）。さらにインデックスであるＩに１を代入する（ステップＳ３０３）。
【００５２】
そして、Ｔ［Ｉ］の優先順位はＰか否か判別する（ステップＳ３０５）。ここでＴ［Ｉ］は、インデックスＩに対応するレイアウト選択テーブルの行のデータを示すので、Ｔ［Ｉ］の優先順位はインデックスＩに対応する行での優先順位を示している。
【００５３】
ステップＳ３０５の判別の結果、Ｔ［Ｉ］の優先順位がＰではないときは（ステップＳ３０５でＮＯ）、Ｉを１だけ増分して（ステップＳ３１０）、ステップＳ３０５に戻る。
【００５４】
一方、ステップＳ３０５の判別の結果、Ｔ［Ｉ］の優先順位がＰのときは（ステップＳ３０５でＹＥＳ）、Ｔ［Ｉ］の用紙サイズＳを取得する（ステップＳ３０６）。
【００５５】
次いで、用紙サイズＳの記録材が給紙可能か否か判別する（ステップＳ３０７）。これは、図２で説明した記録材サイズリスト情報２００の用紙サイズ２０４及び用紙残量２０５により判別できる。
【００５６】
ステップＳ３０７の判別の結果、用紙サイズＳの記録材が給紙可能なときは（ステップＳ３０７でＹＥＳ）、Ｔ［Ｉ］の処理種別、及び分割ライン数を元に、レイアウト情報を作成し（ステップＳ３１３）、本処理を終了する。
【００５７】
一方、ステップＳ３０７の判別の結果、用紙サイズＳの記録材が給紙可能ではないときは（ステップＳ３０７でＮＯ）、Ｉ＞Ｉｍａｘか否か判別する（ステップＳ３０８）。ステップＳ３０８の判別の結果、Ｉ＞Ｉｍａｘではないときは（ステップＳ３０８でＮＯ）、上記ステップＳ３１０に進む。
【００５８】
一方、ステップＳ３０８の判別の結果、Ｉ＞Ｉｍａｘのときは（ステップＳ３０８でＹＥＳ）、Ｐを１だけ増分し（ステップＳ３０９）、Ｐ＞Ｐｍａｘか否か判別する（ステップＳ３１１）。ここでは、全ての優先順位に対して処理を行ったか否かを判別している。
【００５９】
ステップＳ３１１の判別の結果、Ｐ＞Ｐｍａｘではないときは（ステップＳ３１１でＮＯ）、上記ステップＳ３０４に戻る。一方、ステップＳ３１１の判別の結果、Ｐ＞Ｐｍａｘのときは（ステップＳ３１１でＮＯ）、最適サイズがない場合のレイアウト情報を作成し（ステップＳ３１２）、本処理を終了する。
【００６０】
図５は、図４のレイアウト情報作成処理により作成されるレイアウト情報を示す図である。
【００６１】
図５（Ａ）において、レイアウト情報は、処理種別５０１、記録材サイズ５０２、総ライン数５０３、変倍率５０４、分割数５０５、及び分割開始位置５０６で構成されている。
【００６２】
処理種別５０１には、レイアウト選択テーブルの処理種別がセットされる。記録材サイズ５０２には、レイアウト選択テーブルのサイズがセットされる。総ライン数５０３は、副走査幅Ｙがセットされる。
【００６３】
変倍率５０４は、処理種別が縮小の場合に、パーセント単位で表現された縮小率がセットされる。分割数５０５は、複数のページに渡り印刷される場合のページ数がセットされる。この分割数５０５に示される数だけ、分割開始位置５０６が設けられる。図の場合は、分割開始位置Ａに最初のページでの位置が示され、分割開始位置Ｂに２ページ目の開始位置が示される。
【００６４】
図５（Ｂ）は、図２（Ｂ）に示される記録材サイズリスト情報の場合のレイアウト情報例を示している。
【００６５】
図２（Ｂ）に示される記録材サイズリスト情報において、給紙部にはＡ４（２）、Ａ５（３）、Ｂ４（４）の記録材がセットされている。この情報からレイアウト作成処理により作成されたレイアウト情報では、Ａ４が記録材としてセットされ、処理種別には分割がセットされる。
【００６６】
今の場合、１枚当たりの記録可能なライン数は１２００であるため、１枚目に１〜１２００まで、２枚目に１２０１〜２０００ラインまでの印刷を行うようにレイアウト情報が作成される。
【００６７】
図５（Ｃ）は、図２（Ｃ）に示される記録材サイズリスト情報の場合のレイアウト情報例を示している。
【００６８】
図２（Ｃ）に示される記録材サイズリスト情報では、Ａ４の記録材が給紙できないため、次に優先順位が高いＡ５が記録材として選択され、４枚に分割するように、レイアウト情報が作成される。
【００６９】
図５（Ｄ）は、図４のステップＳ３１２で最適サイズがない場合に作成されたレイアウト情報を示す図である。
【００７０】
図５（Ｄ）におけるレイアウト情報では、処理種別５０１、及び記録材サイズ５０２は不明となる。
【００７１】
図６は、図１におけるＣＰＵ１０１により実行されるプレビュー処理の手順を示すフローチャートである。
【００７２】
図６において、ユーザによりプレビュー処理が指示されると、図４で説明したレイアウト作成処理を行う（ステップＳ６０１）。作成されたレイアウト情報を用いて基本プレビュー画像を作成する（ステップＳ６０２）。
【００７３】
この基本プレビュー画像は、ＪＢＩＧ符号化された文書をＨＤＤ１０７から読み出し、画像処理部１１１が復号化することにより生成される。復号化された文書はＲＡＭ１０６に記憶される。ＲＡＭ１０６に記憶された文書は、白黒画像の場合、白画素をビットが０、黒画素をビットが１として、１画素１ｂｉｔで表現される。
【００７４】
次いで、レイアウト情報の分割数＞１か否か判別する（ステップＳ６０３）。ステップＳ６０３の判別の結果、分割数＞１ではないときは（ステップＳ６０３でＮＯ）、ステップＳ６０５に進む。
【００７５】
一方、ステップＳ６０３の判別の結果、分割数＞１のときは（ステップＳ６０３でＹＥＳ）、レイアウト情報に示される２ページ目以降の分割開始位置に分割線を基本プレビュー画像に付加する（ステップＳ６０４）。
【００７６】
次いで、表示／操作部１０２にプレビュー画像を表示して（ステップＳ６０５）、本処理を終了する。このプレビュー処理は、ユーザにより指定されたサイズの記録材に文書を印刷した場合に文書が分割されて複数の記録材に印刷されるときには、分割される位置を明示した文書のプレビュー画像を表示するように表示部を制御する表示制御手段に対応する。
【００７７】
図７は、図６のステップＳ６０４における分割線の付加について説明するための図である。
【００７８】
図７では、例として、処理対象の文書での主走査長を１７２８、副走査長を２０００とする。
【００７９】
図７において、文書はＲＡＭ１０６においてＡｓｔ（Ａｄｄｒｅｓｓ  Ｓｔａｒｔ）番地から始まるものとする。
【００８０】
文書の後端のアドレスＡｅｄはＡｓｔ＋１７２８／８＊２０００と計算される。Ａｄ１は分割線の開始位置を示すアドレスであり、レイアウト情報の分割開始位置フィールドを参照し、分割線を付与するラインが特定される。
【００８１】
図５（Ｂ）に示されるレイアウト情報の場合、分割数が２、分割開始位置２のフィールドが１２０１であるため、Ａｄ１は、Ａｓｔ＋（１７２８／８）＊１２００＝Ａｓｔ＋２１６＊１２００となる。
【００８２】
分割線として黒い線を付与するために、画像処理部１１１では、Ａｄ１から２１６Ｂｙｔｅの範囲を黒い線を示す０ｘＦＦに上書きする。
【００８３】
そして、表示／操作部１０２にアドレスＡｓｔ−Ａｅｄの範囲を表示させることで、プレビュー画像を表示する。
【００８４】
図８は、図１における表示／操作部１０２に表示されたプレビュー画像の一例を示す図である。
【００８５】
図８のプレビュー画像において、図７で説明した黒い線が表示されていることが示されている。
【００８６】
このように、分割される場合にはプレビュー画像を表示したときに分割位置が明示されるので、ユーザが見たプレビュー画像と、印刷された画像が一致することとなる。その結果、ユーザが思い通りの出力結果を得ることが可能となる。なお、ユーザは、任意のサイズを指定して、分割位置を設定したい場合もある。そこで、以下の説明では、ユーザがサイズを指定する場合の処理について説明する。
【００８７】
図９は、図１における表示／操作部１０２に表示されたプレビュー画像の一例を示す図である。
【００８８】
図９（Ａ）におけるプレビュー画像は、給紙部にＡ４、Ｂ５、Ａ５の３つのサイズの記録材がセットされた状態で、ユーザによるプレビュー指示がおこなわれた際に表示／操作部１０２上に表示されるプレビュー画像である。
【００８９】
図９（Ａ）に示されるキー９０１〜９０５は、ユーザが記録材のサイズを表示／操作部１０２でタッチ操作により指定するためのキーである。
【００９０】
プレビュー画像が表示／操作部１０２に表示されたときは、レイアウト情報でセットされた記録材のサイズに対応したいずれかのキー９０１〜９０５がグレーアウト表示される。グレーアウト表示することで、現在のプレビュー画像は、どのサイズに印刷した場合のプレビュー画像であるかが明示される。
【００９１】
また、キー９０６は、グレーアウト表示されている記録材のサイズで、印刷するためのキーである。ユーザがキー９０６を押下することで、印刷処理が実行される。また、キー９０７は、プレビュー画像の表示を中断するためのキーである。
【００９２】
図９（Ｂ）は、ユーザがキー９０２を押下し、Ａ３を記録材として選択した場合に表示されるプレビュー画像を示す図である。
【００９３】
図９に示されるように、キー９０１に代わり、Ａ３に対応するキー９０２がグレーアウト表示される。
【００９４】
図１０は、図１におけるＣＰＵ１０１により実行される、ユーザによりサイズが指定された場合のレイアウト情報作成処理の手順を示すフローチャートである。
【００９５】
図１０において、ＦＡＸで受信した文書である受信文書の主走査幅Ｘ及び副走査幅Ｙを取得する（ステップＳ１００１）。次いで、主走査幅Ｘ，副走査幅Ｙに応じて、図３で説明したレイアウト選択テーブルＴを作成する（ステップＳ１００２）。ユーザが指定可能なサイズの記録材は、給紙可能である記録材であるので、作成されるレイアウト選択テーブルＴには、ユーザが指定したサイズの記録材の情報が当然に含まれる。
【００９６】
次いで、ユーザが指定した記録材のサイズＳ１を取得し（ステップＳ１００３）、インデックスであるＩに１を代入する（ステップＳ１００４）。上記ステップＳ１００３は、ユーザにより、記憶部に記憶された文書を印刷する記録材のサイズが指定される指定手段に対応する。
【００９７】
そして、Ｔ［Ｉ］のサイズはＳ１か否か判別する（ステップＳ１００５）。ステップＳ１００５の判別の結果、Ｔ［Ｉ］のサイズがＳ１ではないときは（ステップＳ１００５でＮＯ）、Ｉを１だけ増分して（ステップＳ１００８）、ステップＳ１００５に戻る。
【００９８】
一方、ステップＳ１００５の判別の結果、Ｔ［Ｉ］のサイズがＳ１のときは（ステップＳ１００５でＹＥＳ）、Ｔ［Ｉ］の処理種別、及び分割ライン数を元に、レイアウト情報を作成し（ステップＳ１００７）、本処理を終了する。その後、図６のステップＳ６０２以降の処理により、プレビュー画像が表示される。
【００９９】
図１０のフローチャートは、給紙可能なサイズの記録材に対する処理であるが、現時点では給紙不可能なサイズの記録材をユーザが指定可能とするようにしてもよい。例えば、Ａ３が給紙不可能であってもユーザが指定可能としたときには、図９（Ｂ）に示されるプレビュー画像が表示されることとなる。
【０１００】
その状態で、ユーザによりキー９０６が押下されると、印刷ジョブがジョブ制御部１１２により生成される。そして、図１０のレイアウト作成処理により、ユーザが指定したサイズでのレイアウト情報が作成され、それはＲＡＭ１０６に記憶される。
【０１０１】
図１１は、図１におけるＣＰＵ１０１により実行される印刷処理の手順を示すフローチャートである。
【０１０２】
図１１において、レイアウト情報に示されるユーザが指定したサイズの記録材が記録材サイズリスト情報２００にあるか否か判別する（ステップＳ１１０１）。ステップＳ１１０１の判別の結果、ユーザが指定したサイズの記録材が記録材サイズリスト情報２００にあるときは（ステップＳ１１０１でＹＥＳ）、印刷処理を行い（ステップＳ１１０４）、本処理を終了する。
【０１０３】
一方、ステップＳ１１０１の判別の結果、ユーザが指定したサイズの記録材が記録材サイズリスト情報２００にないときは（ステップＳ１１０１でＮＯ）、表示／操作部１０２に警告画面を表示する。図１２は、表示／操作部１０２に表示された警告画面を示す図である。この警告画面において、ユーザは、キー１２０１，１２０２のいずれか一方を選択できる。キー１２０１は、ユーザがＡ３の記録材をセットした場合に押下するためのキーである。また、キー１２０２は、ユーザが印刷をキャンセルする場合に押下するためのキーである。このように、本実施の形態では、ユーザにより指定されたサイズの記録材に印刷できない場合には、指定されたサイズでは印刷できないことを表示する。
【０１０４】
次いで、キー１２０１，１２０２のいずれかが押下されたか否か判別する（ステップＳ１１０３）。ステップＳ１１０３の判別の結果、キー１２０２が押下されたときは（キャンセルが選択）、本処理を終了する。
【０１０５】
一方、ステップＳ１１０３の判別の結果、キー１２０２が押下されたときは（ＯＫが選択）、ステップＳ１１０１に戻る。なお、ユーザがＡ３の記録材をセットし、キー１２０１が押下されると、レイアウト決定部１１３はエンジンコントローラ部１０４に給紙部情報を問い合わせることで、記録材サイズリスト情報２００が再生成される。従って、ステップＳ１１０１に戻ると、ステップＳ１１０１では肯定判別されることとなる。
【０１０６】
この処理により、ユーザがプレビュー画面による分割位置の確認を行った後、印刷処理を実行し、想定通りの印刷結果を得ることができる。
【０１０７】
以上説明した実施の形態によれば、記録材に文書を印刷した場合に文書が分割されて複数の記録材に印刷されるときには、分割される位置を示した文書のプレビュー画像を表示する。また、記録材のサイズがユーザにより指定されるのに応じて分割される位置を変更して表示する。その結果、ファックス通信により受信した文書を印刷するユーザの利便性を向上することができるという効果が得られる。
【０１０８】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０９】
１００  画像形成装置
１０１  ＣＰＵ
１０２  表示／操作部
１０５  ＲＯＭ
１０６  ＲＡＭ
１０７  ＨＤＤ
１１５，１１６，１１７  給紙部
１１８  手差し給紙部
１１９  印字部
【図１】
2014112777.tif 000003
【図２】
2014112777.tif 000004
【図３】
2014112777.tif 000005
【図４】
2014112777.tif 000006
【図５】
2014112777.tif 000007
【図６】
2014112777.tif 000008
【図７】
2014112777.tif 000009
【図８】
2014112777.tif 000010
【図９】
2014112777.tif 000011
【図１０】
2014112777.tif 000012
【図１１】
2014112777.tif 000013
【図１２】
2014112777.tif 000014